(57)【特許請求の範囲】
【請求項１】
１個の箱体または複数個をまとめた箱体にフィルム材を巻き付け、該フィルム材の両端を重ね合わせて固着することにより前記箱体を覆うオーバラップ包装用フィルムにおいて、
前記フィルム材のうち互いに重なり合う外側重なり部には、該フィルム材を巻き付け方向に開封するため前記外側重なり部の端縁から開封方向に延びる切込みとして形成された外側切込み線を設け、
前記フィルム材のうち互いに重なり合う内側重なり部には、該フィルム材を前記外側切込み線による開封方向と逆の方向に開封するため前記内側重なり部の端縁から離間した位置にほぼコ字状の切込みとして形成された内側切込み線を設け、
前記外側重なり部と内側重なり部とは、前記内側切込み線の外側となる位置で互いに固着する構成としたことを特徴とするオーバラップ包装用フィルム。
【請求項２】
前記フィルム材には前記外側切込み線、内側切込み線に沿って開封するときにこの開封を補助するミシン目を設けてなる請求項１に記載のオーバラップ包装用フィルム。
【請求項３】
前記内側重なり部には前記内側切込み線の近傍に位置して該内側切込み線の位置を示す目印を設けてなる請求項１または２に記載のオーバラップ包装用フィルム。
【発明の詳細な説明】
【０００１】
【発明の属する技術分野】
本発明は、例えば化粧品、食品等の容器を収容した箱体を包み込むように覆う場合に用いるオーバラップ包装用フィルムに関する。
【０００２】
【従来の技術】
一般に、化粧品、食品、薬品等を収容した容器は、個別に箱体（外箱）に収容され、この箱体は１個または複数個にまとめられ、フィルム材によって包装される。この場合、フィルム材を箱体に巻き付け、該フィルム材の両端を重ね合わせて固着することにより、前記箱体を包み込むように覆っている。
【０００３】
また、フィルム材には、互いに重なり合う外側重なり部に切込み線を設け、該フィルム材を開封して箱体を取出すときには、外側重なり部の一部をつまんで切込み線に沿って巻き付け方向に引っ張ることにより、フィルム材の一部を帯状に切り離して開封するようにしている。
【０００４】
【発明が解決しようとする課題】
ところで、上述した従来技術では、フィルム材の外側重なり部に切込み線を設け、この切込み線に沿ってフィルム材の一部分を引っ張って開封するようにしている。しかし、フィルム材を引っ張ったときには、最初は帯状に切り離されるものの、徐々に先細りになって開封途中で切れてしまう。このため、再度、開封途中からフィルム材をつまんで引っ張らなくてはならず、開封作業に手間を要するという問題がある。
【０００５】
そこで、この開封作業を容易にする他の方法として、フィルム材の両端を重ね合わせた状態で静電気によって止める方法や、繊維質の帯状体をフィルム材に別途固着して開封途中で切れないようにする方法がある。しかし、静電気を利用したものでは、運搬途中に重ね合わせ部分が剥れるという問題がある。また、帯状体を別途固着したものは、製造コストの上昇を招くという問題がある。
【０００６】
本発明は上述した従来技術の問題に鑑みなされたもので、本発明の目的は、別途他部材を用いることなく、フィルム材の一部を帯状に切り離すことができ、開封作業を容易に行なうことができるようにしたオーバラップ包装用フィルムを提供することにある。
【０００７】
【課題を解決するための手段】
請求項１の発明によるオーバラップ包装用フィルムは、１個の箱体または複数個をまとめた箱体にフィルム材を巻き付け、該フィルム材の両端を重ね合わせて固着することにより前記箱体を覆う構成としている。
【０００８】
そして、上述した課題を解決するために、請求項１の発明が採用する構成の特徴は、フィルム材のうち互いに重なり合う外側重なり部には、該フィルム材を巻き付け方向に開封するため前記外側重なり部の端縁から開封方向に延びる切込みとして形成された外側切込み線を設け、前記フィルム材のうち互いに重なり合う内側重なり部には、該フィルム材を前記外側切込み線による開封方向と逆の方向に開封するため前記内側重なり部の端縁から離間した位置にほぼコ字状の切込みとして形成された内側切込み線を設け、前記外側重なり部と内側重なり部とは、前記内側切込み線の外側となる位置で互いに固着する構成としたことにある。
【０００９】
このように構成したことにより、フィルム材のうち外側重なり部の端縁をつまんで外側切込み線に沿って引っ張り、帯状に切り離す。また、外側重なり部を外側切込み線に沿って帯状に切り離すことにより、内側重なり部が現われるから、該内側重なり部のコ字状に形成された内側切込み線に指先をかけ、この内側重なり部をつまんで引っ張ることにより、帯状に切り離す。このように、フィルム材を開封するときには、外側切込み線と内側切込み線とに沿って巻き付け方向の両側からフィルム材を開封することができる。
【００１２】
請求項２の発明によると、フィルム材には外側切込み線、内側切込み線に沿って開封するときにこの開封を補助するミシン目を設ける構成としている。これにより、切込み線に沿って重なり部を引っ張ったときには、それぞれのミシン目に沿って切り離されるから、フィルム材の一部を帯状に切り離すことができる。
【００１３】
請求項３の発明によると、内側重なり部には内側切込み線の近傍に位置して該内側切込み線の位置を示す目印を設ける構成としている。これにより、内側切込み線の位置を容易に見つけることができる。
【００１４】
【発明の実施の形態】
以下、本発明の実施の形態によるオーバラップ包装用フィルムとして、３個の箱体を包装した場合を例に挙げ、図１ないし図６に従って詳細に説明する。
【００１５】
１は本実施の形態によるオーバラップ包装用フィルムで、該オーバラップ包装用フィルム１は、後述のフィルム材３、外側切込み線４、内側切込み線６等によって構成されている。
【００１６】
２，２，…は化粧品が充填された容器（図示せず）を収容した包装対象となる３個の箱体で、該各箱体２は、図１、図２に示すように、前面部２Ａ、後面部２Ｂ、左側面部２Ｃ、右側面部２Ｄ、上面部２Ｅおよび下面部（図示せず）によって上，下方向に延びる直方体状に形成されている。そして、各箱体２は、後面部２Ｂと前面部２Ａとを対面させた状態で１列に並べてまとめられた３個を１組とし、オーバラップ包装用フィルム１により包装されている。
【００１７】
３は３個の箱体２を包装しているフィルム材で、該フィルム材３は、各箱体２に巻き付けられ、その長さ方向両端側を互いに重ね合わせた状態で固着し、上側と下側をそれぞれ折畳んで固着することにより各箱体２を包み込んでいる。  ここで、フィルム材３は、例えばポリエチレンテレフタレート（ＰＥＴ）等の樹脂材料を用いた透明な薄膜状に形成されている。また、フィルム材３は、図３に示す展開状態において、上，下方向寸法が箱体２の上，下方向寸法よりも長く設定され、長さ寸法が３個の箱体２に巻き付けたときに両端が互いに重なり合って糊代を形成することができる寸法に設定されている。
【００１８】
即ち、フィルム材３は、箱体２に巻き付けたときに余る上側部分が上側折畳み部３Ａとなり、下側部分が下側折畳み部３Ｂとなる。また、フィルム材３の長さ方向の一端側は、該フィルム材３を各箱体２に巻き付けたときに重なり合う外側重なり部３Ｃとなり、他端側は内側重なり部３Ｄとなっている。
【００１９】
４，４はフィルム材３の外側重なり部３Ｃに設けられた一対の外側切込み線で、該各外側切込み線４は、フィルム材３の巻き付け方向、即ち開封方向と直交する上，下方向に離間して位置し、外側重なり部３Ｃの端縁から開封方向に延びる切込みとして形成されている。
【００２０】
５，５はフィルム材３の外側重なり部３Ｃに設けられた一対のミシン目で、該各ミシン目５は、各外側切込み線４に続いて開封方向に延びている。そして、各ミシン目５は、各外側切込み線４間の外側重なり部３Ｃを引っ張ったときに、フィルム材３の一部が帯状に切り離されるように案内するものである。
【００２１】
６はフィルム材３の内側重なり部３Ｄに設けられた内側切込み線で、該内側切込み線６は、内側重なり部３Ｄの端縁から離間した位置に、縦切込み部６Ａと該縦切込み部６Ａの両端から開封方向に延びた一対の横切込み部６Ｂ，６Ｂとによりコ字状の切込みとして形成されている。
【００２２】
７，７はフィルム材３の内側重なり部３Ｄに設けられた一対のミシン目で、該各ミシン目７は、内側切込み線６の各横切込み部６Ｂに続いて開封方向に延びている。そして、各ミシン目７は、内側切込み線６によって内側重なり部３Ｄを引っ張ったときに、フィルム材３の一部が帯状に切り離されるように案内するものである。
【００２３】
ここで、前述した内側切込み線６の幅寸法（上，下方向寸法）、各ミシン目７の離間寸法は、前述した外側切込み線４、ミシン目５の離間寸法よりも僅かに小さく図示しているが、図面で両者を明確に記載するためにずらしたもので、同じ幅寸法（離間寸法）とするのが望ましい。
【００２４】
８は内側重なり部３Ｄに設けられた目印としての開封マークで、該開封マーク８は、内側切込み線６の位置を示すものである。また、開封マーク８は、開封方向を示すように三角形状に形成されている。さらに、開封マーク８は、フィルム材３が透明であるため、内側切込み線６の上側に重なるように配置された外側切込み線４の位置をも示すことができる。
【００２５】
そして、このように構成されたオーバラップ包装用フィルム１は、フィルム材３を各箱体２に巻き付け、該フィルム材３の内側重なり部３Ｄと外側重なり部３Ｃとを重ね（オーバラップ）、この状態で熱溶着、接着等の固着手段を用いて両者を固着する。このときの溶着部位は、図１等に点線ハッチングで示すように内側切込み線６（縦切込み部６Ａ、横切込み部６Ｂ，６Ｂ）の外側に位置する部分となっている。さらに、フィルム材３の上側折畳み部３Ａと下側折畳み部３Ｂとを適宜折畳み、開かないように固着手段によって固着することにより、前記各箱体２を包み込むように覆うことができる。
【００２６】
本実施の形態によるオーバラップ包装用フィルム１は上述の如き構成を有するもので、次に、フィルム材３を開封し、該フィルム材３に収容された箱体２を取出すときの動作について説明する。
【００２７】
まず、図４に示すように、フィルム材３の外側重なり部３Ｃを指先でつまみ、各外側切込み線４に沿って引っ張る。これにより、各外側切込み線４、ミシン目５に沿って外側重なり部３Ｃの一部が外側切取り口９となって切り離される。また、外側切取り口９を切り離したときには、内側重なり部３Ｄに設けられた内側切込み線６が現われる。
【００２８】
次に、図５に示すように、内側切込み線６の縦切込み部６Ａに指先をかけ、内側切込み線６の各横切込み部６Ｂに沿って引っ張る。これにより、横切込み部６Ｂ、ミシン目７に沿って内側重なり部３Ｄの一部が内側切取り口１０となって切り離される。
【００２９】
このように、フィルム材３に外側切取り口９と内側切取り口１０とを形成したら、外側切取り口９を、図５中に矢示Ａで示す如く、フィルム材３の巻き付け方向に引っ張る。また、内側切取り口１０を、図５中に矢示Ｂで示す如く、外側切取り口９の開封方向と反対側に引っ張る。これにより、図６に示すように、３個の箱体２を覆っていたフィルム材３を上側分割体１１と下側分割体１２とに分割することができる。そして、例えば上側分割体１１を取外すことにより、箱体２を取出すことができる。
【００３０】
以上のように、本実施の形態によれば、フィルム材３の外側重なり部３Ｃには外側切込み線４を設け、内側重なり部３Ｄには内側切込み線６を設け、該外側切込み線４と内側切込み線６とをそれぞれ巻き付け方向の反対側に引っ張って開封するようにしている。従って、フィルム材３が開封作業時に切れ易いポリエチレンテレフタレート（ＰＥＴ）等の樹脂材料によって形成されている場合でも、繊維状の帯状体等の他部材を用いることなく、容易に、かつ確実にフィルム材３の開封作業を行なうことができる。
【００３１】
また、フィルム材３には、外側切込み線４に続いて開封方向に延びるミシン目５と、内側切込み線６に続いて開封方向に延びるミシン目７とをそれぞれ設けているから、開封作業時にフィルム材３の一部を、フィルム材３の全長に亘って帯状に切り離すことができ、作業性を向上することができる。
【００３２】
さらに、フィルム材３には内側切込み線６の近傍に位置して開封マーク８を設けているから、開封作業時に内側切込み線６、外側切込み線４の位置を容易に見つけることができ、これによっても開封作業を容易にすることができる。
【００３３】
なお、実施の形態では、フィルム材３によって３個の箱体２を１列に包装した場合を例に挙げて説明したが、本発明はこれに限るものではなく、例えば、フィルム材３によって１個、２個または４個以上の箱体２を包装してもよく、また、箱体２の数が多い場合には、２列、３列等に並べた状態で包装する構成としてもよい。
【００３４】
さらに、実施の形態では、オーバラップ包装用フィルム１は化粧品が充填された容器を収容した箱体２を包装するのに用いた場合を例に挙げて説明したが、これに替えて、例えば、食品、薬品等が充填された容器を収容した箱体を包装するのにも適用することができる。
【００３５】
【発明の効果】
以上詳述した通り、請求項１の発明によれば、フィルム材のうち互いに重なり合う外側重なり部には、該フィルム材を巻き付け方向に開封するため前記外側重なり部の端縁から開封方向に延びる切込みとして形成された外側切込み線を設け、前記フィルム材のうち互いに重なり合う内側重なり部には、該フィルム材を外側切込み線による開封方向と逆の方向に開封するため前記内側重なり部の端縁から離間した位置にほぼコ字状の切込みとして形成された内側切込み線を設け、前記外側重なり部と内側重なり部とは、前記内側切込み線の外側となる位置で互いに固着する構成としている。これにより、フィルム材のうち外側重なり部を外側切込み線に沿って引っ張ることにより、フィルム材を帯状に切り離すことができる。また、外側重なり部を外側切込み線に沿って切り離すことにより、内側重なり部が現われるから、該内側重なり部を内側切込み線に沿って引っ張ることにより、フィルム材を帯状に切り離すことができる。このように、フィルム材を開封するときには、外側切込み線と内側切込み線とによって巻き付け方向の両側からフィルム材を開封することができる。
【００３６】
そして、前記外側切込み線は外側重なり部の端縁から開封方向に延びる切込みとして形成し、前記内側切込み線は内側重なり部の端縁から離間した位置にほぼコ字状の切込みとして形成しているので、外側重なり部の端縁をつまんで引っ張ることにより外側切込み線に沿って開封することができ、コ字状に形成された内側切込み線に指先をかけ内側重なり部をつまんで引っ張ることにより該内側切込み線に沿って開封することができ、開封作業を容易に行なうことができる。
【００３７】
請求項２の発明によれば、フィルム材には外側切込み線、内側切込み線に沿って開封するときにこの開封を補助するミシン目を設けているので、切込み線に沿って重なり部を引っ張ったときには、ミシン目に沿ってフィルム材の一部を帯状に切り離すことができる。
【００３８】
請求項３の発明によれば、内側重なり部には内側切込み線の近傍に位置して該内側切込み線の位置を示す目印を設けているので、開封するときに内側切込み線の位置を容易に見つけることができる。
【図面の簡単な説明】
【図１】本発明の実施の形態によるオーバラップ包装用フィルムを用いて３個の箱体を包装した状態を示す外観斜視図である。
【図２】オーバラップ包装用フィルムと中身を省略した箱体を図１中の矢示II−II方向からみた拡大断面図である。
【図３】本実施の形態によるオーバラップ包装用フィルムを展開状態で示す外観図である。
【図４】外側切込み線に沿って外側切取り口を切り離した状態を図１と同様位置からみた外観斜視図である。
【図５】内側切込み線に沿って内側切取り口を切り離した状態を図１と同様位置からみた外観斜視図である。
【図６】フィルム材を上側分割体と下側分割体に分割した開封状態を図１と同様位置からみた外観斜視図である。
【符号の説明】
１  オーバラップ包装用フィルム
２  箱体
３  フィルム材
３Ｃ  外側重なり部
３Ｄ  内側重なり部
４  外側切込み線
５，７  ミシン目
６  内側切込み線
８  開封マーク（目印）
【図１】
0003645468.tif 000002
【図２】
0003645468.tif 000003
【図３】
0003645468.tif 000004
【図４】
0003645468.tif 000005
【図５】
0003645468.tif 000006
【図６】
0003645468.tif 000007